(57)【要約】【課題】遊技機本体と前面扉の間から遊技機内部に異物を差し入れるなどして行われる不正行為を抑制することができる遊技機を提供する。【解決手段】パチンコ機１０は、外枠１１に対して回動可能に支持された本体枠１３を備えており、さらに本体枠１３の前方には前扉枠１４が設けられている。前扉枠１４は、本体枠１３に対して回動可能に支持されている。前扉枠１４の背面には、その回動基端側の端部に沿って延びるようにして前扉側部材１７１が設けられており、本体枠１３の前面には、前扉側部材１７１と対応する位置に本体側部材１８１が設けられている。前扉側部材１７１及び本体側部材１８１は、本体枠１３に対する前扉枠１４の閉鎖動作に伴い組み合わされるようになっている。【選択図】      図２
2008136836.tif 000002
【特許請求の範囲】
【請求項１】
各種遊技部品が設けられた遊技機本体と、
前記遊技機本体の前面側に開閉可能に取り付けられた前面扉と
を備え、
前記遊技機本体と前記前面扉との間に遊技機内部が形成され、当該遊技機内部に前記各種遊技部品の少なくとも一部が収容された遊技機において、
前記遊技機本体と前記前面扉との間からの異物の侵入を前記遊技機内部に至る手前位置で規制するとともに、前記遊技機本体に対する前記前面扉の遊技機前方への相対的な変位を規制する規制機構を設けたことを特徴とする遊技機。
【発明の詳細な説明】
【技術分野】
【０００１】
本発明は、遊技機に関するものである。
【背景技術】
【０００２】
遊技機の一種であるパチンコ機には、遊技盤が設けられる遊技機本体と、その遊技機本体の前面側に配置される前面扉とが備えられている。遊技盤の前面側には遊技領域が形成されており、遊技領域には入賞口、入賞装置等の各種遊技機器が設けられている。そして、遊技者により遊技球発射ハンドルが操作されると遊技球が遊技領域に向けて発射される。発射された遊技球が入賞口や入賞装置などに入賞すると、それに伴い所定個数の遊技球が払い出される（例えば、特許文献１参照）。
【０００３】
前面扉は遊技機本体に対して開閉可能に支持されており、前面扉が閉鎖状態にある場合は遊技盤が前面扉により覆われている。前面扉にはガラス等の透明板が遊技盤前面を覆うようにして配設されており、前面扉が閉鎖状態にある場合でもパチンコ機の前方から遊技領域が視認可能となっている。遊技領域は、前面扉が開放されると遊技機前方に露出するようになっており、遊技領域などのメンテナンスがホール管理者等により行われる際には前面扉が開放状態とされる。
【０００４】
ここで、不正に利益を得ることを目的として、例えば、前面扉を開放状態として遊技領域を露出させ、入賞装置を手で強制的に開放状態とするとともにその入賞装置や入賞口に遊技球を手で直接入賞させるなどの不正行為が行われるおそれがあるが、通常、遊技中には前面扉が閉鎖状態とされているため、前記不正行為を行うことが困難なものとなっている。
【特許文献１】特開２００６−１２２７１０号公報
【発明の開示】
【発明が解決しようとする課題】
【０００５】
しかしながら、上記のように前面扉が遊技機本体に対して開閉可能に支持された構成においては、遊技機本体と前面扉との間から遊技領域に対して不正行為が行われるおそれがある。不正行為として、例えば、遊技機本体と前面扉との間から針金などの不正道具を遊技領域内に侵入させ、不正道具により入賞装置を強制的に開放状態とするとともにその入賞装置や入賞口に遊技球を誘導し、不正に入賞装置や入賞口に遊技球を入賞させて利益を得るという行為が考えられる。
【０００６】
なお、遊技機本体と前面扉との間から行われる不正行為は、遊技領域のみを対象とするものではなく、遊技機内部に設けられた遊技部品等なども対象とするものであると考えられる。また、前記不正行為は、パチンコ機に対してのみ行われるものではなく、遊技機本体の前面側に開閉可能に取り付けられた前面扉を有するその他の遊技機に対しても行われるものであると考えられる。
【０００７】
本発明は、上記事情に鑑みてなされたものであり、遊技機本体と前面扉の間から遊技機内部に異物を差し入れるなどして行われる不正行為を抑制することができる遊技機を提供することを目的とするものである。
【課題を解決するための手段】
【０００８】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００９】
手段１．各種遊技部品（一般入賞口８２等）が設けられた遊技機本体（本体枠１３）と、
前記遊技機本体の前面側に開閉可能に取り付けられた前面扉（前扉枠１４）と
を備え、
前記遊技機本体と前記前面扉との間に遊技機内部が形成され、当該遊技機内部に前記各種遊技部品の少なくとも一部が収容された遊技機において、
前記遊技機本体と前記前面扉との間からの異物の侵入を前記遊技機内部に至る手前位置で規制するとともに、前記遊技機本体に対する前記前面扉の遊技機前方への相対的な変位を規制する規制機構（前扉側部材１７１、本体側部材１８１）を設けたことを特徴とする遊技機。
【００１０】
手段１によれば、規制機構を設けたため、遊技機本体と前面扉との間からの異物の侵入が遊技機内部に至る手前位置で規制される。このため、例えば不正行為者が前面扉と遊技機本体との間から針金や不正道具などの異物を遊技機内部に差し入れようとしても、それが困難なものとなっている。
【００１１】
また、規制機構により、遊技機本体に対する前面扉の遊技機前方への相対的な変位が規制される。例えば、遊技機本体と前面扉との間の領域が拡張した場合、規制機構の異物に対する侵入規制能力が低下するおそれがあるが、遊技機本体に対する前面扉の遊技機前方への相対的な変位が規制されるため、遊技機本体と前面扉との間の領域が拡張するように遊技機本体や前面扉に対して外力が加えられても、規制機構の異物に対する侵入規制能力の低下を抑制することができる。したがって、遊技機本体と前面扉との間から異物を遊技機内部に差し入れることの困難性の低下を抑制することができる。
【００１２】
以上の結果、遊技機本体と前面扉の間から遊技機内部に異物を差し入れるなどして行われる不正行為を抑制することができる。
【００１３】
手段２．手段１において、前記規制機構を、前記遊技機本体及び前記前面扉の周縁部の少なくとも一部に沿って延びるように設けたことを特徴とする遊技機。
【００１４】
手段２によれば、規制機構を、遊技機本体及び前面扉の周縁部の少なくとも一部に沿って延びるように設けたため、遊技機本体と前面扉との間からの異物の侵入が遊技機内部に至る手前位置で広範囲に渡って規制されるとともに、遊技機本体と前面扉との間の領域の拡張が広範囲に渡って規制される。したがって、遊技機本体と前面扉との間からの遊技機内部への異物の侵入をより確実に阻止することができる。
【００１５】
手段３．手段１又は手段２において、前記規制機構として、
前記遊技機本体及び前記前面扉のいずれか一方に設けられ、前記異物の侵入を規制する第１部材（前扉側部材１７１）と、
他方に設けられるとともに、前記遊技機本体に対して前記前面扉が閉鎖状態にある場合に前記第１部材に組み合わされる第２部材（本体側部材１８１）と
を備え、
前記第１部材と前記第２部材とが組み合わされることで前記前面扉の前記変位を規制する構成としたことを特徴とする遊技機。
【００１６】
手段３によれば、第１部材により、遊技機本体と前面扉との間からの異物の侵入が遊技機内部に至る手前位置で規制される。このため、前面扉と遊技機本体との間から異物を遊技機内部に差し入れるには、例えば異物を変形させて第１部材を回避させるなどの必要が生じる。したがって、異物を遊技機内部に差し入れることを困難なものとすることができる。
【００１７】
また、遊技機本体に対して前面扉が閉鎖状態にある場合に、遊技機本体又は前面扉の一方に設けられた第１部材と他方に設けられた第２部材とが組み合わされることで、遊技機本体に対する前面扉の遊技機前方への相対的な変位が規制される。この場合、遊技機本体と前面扉との間の領域の拡張を規制することができるため、遊技機本体と前面扉の間から異物を遊技機内部に差し入れることの困難性の低下を抑制することができる。
【００１８】
すなわち、遊技機本体と前面扉の間から異物を遊技機内部に差し入れることを困難なものとしつつ、異物の差し入れに対する困難性の低下を抑制することができる。
【００１９】
手段４．手段３において、前記第１部材を長尺状の部材とし、当該第１部材を前記遊技機本体又は前記前面扉の周縁部の少なくとも一部に沿って延びるように設けたことを特徴とする遊技機。
【００２０】
手段４によれば、長尺状の第１部材が、遊技機本体又は前面扉の周縁部の少なくとも一部に沿って延びるように設けられている。このため、遊技機本体と前面扉との間からの異物の侵入を遊技機内部に至る手前位置で広範囲に渡って規制することができる。
【００２１】
手段５．手段３において、前記第１部材を複数連ねることで、各第１部材を全体として遊技機本体又は前記前面扉の周縁部の少なくとも一部に沿って延びるように設けたことを特徴とする遊技機。
【００２２】
手段５によれば、第１部材が複数連ねられることで、各第１部材が全体として遊技機本体又は前面扉の周縁部の少なくとも一部に沿って延びるように設けられている。このため、遊技機本体と前面扉との間からの異物の侵入を遊技機内部に至る手前位置で広範囲に渡って断続的に規制することができる。
【００２３】
手段６．手段３乃至手段５のいずれかにおいて、前記第２部材を、前記第１部材と組み合わされた場合に前記異物の侵入を規制するように、かつ遊技機本体又は前記前面扉の周縁部の少なくとも一部に沿って延びるように設けたことを特徴とする遊技機。
【００２４】
手段６によれば、第２部材により、遊技機本体と前面扉との間からの異物の侵入が遊技機内部に至る手前位置で規制される。このため、前面扉と遊技機本体との間から異物を遊技機内部に差し入れるには、第１部材に加えて第２部材を回避させるなどの必要が生じる。したがって、異物を遊技機内部に差し入れることの困難性を高めることができる。また、第２部材を、遊技機本体又は前面扉の周縁部の少なくとも一部に沿って延びるように設けたため、異物の侵入を広範囲に渡って規制することができる。
【００２５】
手段７．手段３乃至手段６のいずれかにおいて、前記第１部材は、
第１部材と第２部材とが組み合わされた場合に前記第２部材が遊技機左右方向又は上下方向から入り込む受入部（前扉側部材１７１の凹溝）と、
前記受入部を形成するとともに、前記第２部材との当接状態では前記前面扉の前記変位を規制する規制部（対向板部１７３）と
を備えたことを特徴とする遊技機。
【００２６】
手段７によれば、第１部材と第２部材とが組み合わされた場合、第２部材が受入部に遊技機左右方向又は上下方向から入り込んだ状態となる。このため、前面扉と遊技機本体との間から異物を遊技機内部に差し入れるには、第１部材と第２部材との間を縫うようにして異物を通過させる必要がある。したがって、前面扉と遊技機本体との間から異物を遊技機内部に差し入れることの困難性をより高めることができる。
【００２７】
また、第１部材の規制部を、第２部材との当接状態では遊技機本体に対する前面扉の遊技機前方への相対的な変位を規制するようにした。このため、遊技機本体に対して前面扉が閉鎖状態にある場合に、仮に前面扉が遊技機前方に引っ張られても前面扉の浮き上がりを規制することができる。この場合、遊技機本体と前面扉との間の領域の拡張を規制することができるため、遊技機内部への異物差し入れの困難性の低下を抑制することができる。
【００２８】
手段８．手段７において、前記第１部材を、前記規制部と前記第２部材とが当接状態にある場合の当接部が前記遊技機本体及び前記前面扉の周縁部の少なくとも一部に沿って延びるように設けたことを特徴とする遊技機。
【００２９】
手段８によれば、規制部と第２部材とが当接状態にある場合の当接部が遊技機本体及び前面扉の周縁部の少なくとも一部に沿って延びるように構成したため、仮に前面扉が遊技機前方に引っ張られても前面扉の浮き上がりを広範囲に渡って規制することができる。したがって、遊技機本体と前面扉との間の領域の局所的な拡張を規制することができる。
【００３０】
手段９．手段７又は手段８において、前記遊技機本体及び前記前面扉のいずれか一方に設けられた前記第１部材は、
前記異物の侵入を規制するとともに前記一方の周縁部の少なくとも一部に沿って延びるように、かつ前記受入部を形成するべく前記一方と前記規制部とを連結する連結部（連結板部１７４）を有することを特徴とする遊技機。
【００３１】
手段９によれば、第１部材において、連結部により、遊技機本体と前面扉との間からの異物の侵入が遊技機内部に至る手前位置で広範囲に渡って規制される。また、遊技機本体及び前面扉のうち一方と規制部とが連結部により連結されることで受入部が形成されているため、連結部と規制部とが同一平面上には位置しないこととなる。したがって、第１部材では、連結部と規制部とにより、異物の侵入を異なる方向から規制することができる。これにより、遊技機本体に対して前面扉が閉鎖状態にある場合に、前面扉と遊技機本体との間から異物を遊技機内部に差し入れるには、第１部材における連結部と規制部を回避させるために異物を複数回曲げつつ侵入させる必要が生じる。この場合、更に、第１部材と第２部材との間を縫うようにして異物を通過させる必要があるため、前面扉と遊技機本体との間から異物を遊技機内部に差し入れることの困難性をより一層高めることができる。
【００３２】
手段１０．手段３乃至手段９のいずれかにおいて、前記遊技機本体に対して前記前面扉を回動可能に支持する支持部（突起軸６１，６２、支持金具７２，７３）を設け、
前記第１部材及び前記第２部材を、前記前面扉の閉鎖動作に伴って組み合わされるように設けたことを特徴とする遊技機。
【００３３】
手段１０によれば、前面扉の閉鎖動作に伴って第１部材と第２部材とが組み合わされる。このため、単に前面扉を閉鎖状態とすることで、遊技機本体に対する前面扉の遊技機前方への相対的な変位を規制することができる。したがって、前面扉を閉鎖状態とした後、遊技機本体や前面扉に対して別の操作を行うことなく、遊技機を、遊技機内部への異物の侵入を規制する状態とすることができる。
【００３４】
手段１１．手段７乃至手段９のいずれかにおいて、前記遊技機本体に対して前記前面扉を回動可能に支持する支持部（突起軸６１，６２、支持金具７２，７３）を設け、
前記前面扉の閉鎖動作に伴って、前記第２部材が前記受入部に遊技機左右方向又は上下方向から入り込む構成としたことを特徴とする遊技機。
【００３５】
手段１１によれば、前面扉の閉鎖動作に伴って第２部材が受入部に遊技機左右方向又は上下方向から入り込んだ状態となる。このため、単に前面扉を閉鎖状態とすることで、遊技機本体に対する前面扉の遊技機前方への相対的な変位が規制され、遊技機本体と前面扉との間の領域の拡張を規制することができる。したがって、前面扉を閉鎖状態とした後、遊技機本体や前面扉に対して別の操作を行うことなく、遊技機を、遊技機内部への異物の侵入を規制する状態とすることができる。
【００３６】
手段１２．手段１１において、前記受入部を、前記前面扉の閉鎖動作に伴って当該受入部と相対的に移動する前記第２部材の軌道上に設けるとともに、当該受入部の開放側が前記第２部材に向くように設けたことを特徴とする遊技機。
【００３７】
手段１２によれば、受入部を、その開放側が第２部材に向くようにして第２部材の軌道上に設けたため、前面扉の閉鎖動作に伴って受入部に第２部材を入り込ませることが可能となる。したがって、単に前面扉を閉鎖状態とすることで、第１部材と第２部材とを組み合わせることができる。
【００３８】
手段１３．手段１１又は手段１２において、前記第１部材及び前記第２部材を、前記第２部材が前記受入部に入り込む位置が前記支持部より遊技機前方又は後方となるように設けたことを特徴とする遊技機。
【００３９】
手段１３によれば、前面扉を支持する支持部より遊技機前方又は後方にて第２部材が受入部に入り込むため、第２部材は、遊技機前後方向のみならず遊技機左右方向又は上下方向に相対的に移動しながら受入部に入り込むこととなる。したがって、単に前面扉を閉鎖状態とするだけで、遊技機左右方向又は上下方向から第２部材を受入部に入り込ませることが可能となる。
【００４０】
手段１４．手段１１乃至手段１３のいずれかにおいて、前記第１部材及び前記第２部材のいずれか一方を前記前面扉の回動基端側に設け、他方を前記遊技機本体に設けたことを特徴とする遊技機。
【００４１】
手段１４によれば、第１部材及び第２部材のいずれか一方を前面扉の回動基端側に設け、他方を遊技機本体に設けた。前面扉を回動動作させた場合、回動基端側の曲率半径は回動先端側の曲率半径に比べて小さくなる。したがって、回動基端側と回動先端側の遊技機前後方向への移動量が同一であれば、回動基端側の方が遊技機左右方向又は上下方向への移動量が大きくなる。このため、第１部材及び第２部材のいずれか一方を前面扉の回動基端側に設けた方が受入部への第２部材の入り込み量を大きくすることが可能となる。例えば、前面扉に左右方向又は上下方向から外力が加えられて第２部材が受入部から外れた場合、前面扉が遊技機前方に引っ張られることで遊技機本体と前面扉との間の領域が拡張するおそれがある。ここで、かかる構成とすることにより、前面扉に左右方向又は上下方向から外力が加えられても、第２部材を受入部から外れにくくすることができる。したがって、遊技機本体と前面扉との間の領域の拡張をより確実に規制することができる。
【００４２】
手段１５．手段１４において、前記支持部を、回動軸線方向における前記前面扉の両端部に設けたことを特徴とする遊技機。
【００４３】
手段１５によれば、回動軸線方向における前面扉の両端部にて、前面扉が支持部により支持されている。この場合、支持部による前面扉の支持間隔が長くなるため、遊技機本体に対する前面扉のがたつきを抑制することができるが、例えば前面扉が遊技機前方に引っ張られると、支持部の中間位置における前面扉の浮き上がりが大きくなるおそれがある。ここで、第１部材又は第２部材が前面扉の回動基端側に設けられているため、仮に前面扉が遊技機前方に引っ張られても、支持部の中間位置においてはもちろんのこと他の位置においても前面扉の浮き上がりを抑制することが可能となる。故に、前面扉のがたつきを抑制しつつ、遊技機本体と前面扉との間の領域の拡張を規制することができる。
【００４４】
手段１６．手段１５において、前記第１部材及び前記第２部材のいずれか一方を、前記両支持部間の略全域に渡るようにかつ当該略全域で他方と組み合わされるように設けたことを特徴とする遊技機。
【００４５】
手段１６では、第１部材及び第２部材のいずれか一方を、両支持部間の略全域に渡るようにかつその略全域で他方と組み合わされるように設けた。このため、前面扉の回動基端側では、両支持部間の全域に渡って前面扉の遊技機前方への相対的な変位を規制することができる。したがって、前面扉のどの部分が遊技機前方に引っ張られても、支持部の間における前面扉の浮き上がりを抑制することができる。
【００４６】
手段１７．手段１４乃至手段１６のいずれかにおいて、前記前面扉が閉鎖状態にある場合に前記遊技機本体と前記前面扉とを当該前面扉の回動先端側にて開放不能に施錠する施錠装置（施錠装置１３１）を設けたことを特徴とする遊技機。
【００４７】
手段１７によれば、遊技機本体と前面扉とがその前面扉の回動先端側にて施錠装置により開放不能に施錠されている。したがって、仮に前面扉が遊技機前方に引っ張られても、回動先端側における前面扉の浮き上がりを抑制することが可能となる。これにより、回動先端側において、遊技機本体と前面扉との間から遊技機内部に異物を差し入れることの困難性の低下をより確実に抑制できる。ここで、第１部材及び第２部材のいずれか一方が前面扉の回動基端側に設けられるとともに他方が遊技機本体に設けられているため、回動先端側に加えて回動基端側においても前面扉の浮き上がりを抑制することができる。
【００４８】
手段１８．手段１１乃至手段１７のいずれかにおいて、前記遊技機本体又は前記前面扉の一方に、他方の側面を包囲するように前記他方側に張り出した張出部（張出部７８）を設けたことを特徴とする遊技機。
【００４９】
手段１８によれば、前面扉が閉鎖状態にある場合に、遊技機本体又は前面扉の一方に設けられた張出部により他方の側面が包囲される。このため、遊技機本体に対する前面扉の遊技機左右方向又は上下方向への相対的な変位を規制することができる。したがって、仮に前面扉に遊技機左右方向又は上下方向に外力が加えられても、受入部からの第２部材の外れを抑制することができ、ひいては、遊技機本体と前面扉との間の領域の拡張をより確実に規制することができる。また、張出部により遊技機本体と前面扉との間の領域が遊技機左右方向や上下方向にて遮蔽されるため、遊技機内部への異物の侵入の困難性をより一層高めることができる。
【００５０】
手段１９．手段３乃至手段１８のいずれかにおいて、前記第１部材及び前記第２部材を板材により形成したことを特徴とする遊技機。
【００５１】
手段１９によれば、第１部材及び第２部材が板材により形成されている。このため、比較的安価に規制機構を構成することが可能となり、さらに、規制機構を比較的簡易な構成とすることが可能となる。また、第１部材及び第２部材が板材であるため、それら部材を設けた範囲では全域に渡って、前面扉と遊技機本体との間からの遊技機内部への異物の侵入を規制することができる。
【００５２】
手段２０．手段１９において、前記第１部材及び前記第２部材を金属板により形成したことを特徴とする遊技機。
【００５３】
手段２０によれば、第１部材及び第２部材が金属板により形成されているため、第１部材及び第２部材の強度を十分に確保することが可能となる。したがって、前面扉が遊技機前方に引っ張られた場合に、第１部材及び第２部材が変形しにくくなっている。故に、比較的安価に規制機構を構成しつつ、遊技機本体と前面扉との間の領域の拡張を規制することができる。
【００５４】
手段２１．手段１乃至手段２０のいずれかにおいて、遊技機前方から視認可能な状態で前記遊技機本体の前面部に設けられ、遊技球が流下する遊技領域（遊技盤８１）と、
前記遊技領域を流下する遊技球が入球可能な入球部（一般入賞口８２、可変入賞装置８３、作動口８４）と、
を備え、
前記入球部に遊技球が入球した場合に遊技者に特典が付与される構成とした遊技機において、
前記遊技領域を前記遊技機内部に設けたことを特徴とする遊技機。
【００５５】
手段２１によれば、遊技領域を遊技機内部に設けたため、遊技領域への異物の侵入を阻止することができる。例えば、不正行為者が前面扉と遊技機本体との間から遊技領域に異物を差し入れて、異物により遊技球を誘導することで入球部に遊技球を不正に入賞させようとしても、それが困難なものとなっている。このため、不正行為者に対して特典が不正に付与されることを抑制できる。すなわち、遊技機本体と前面扉の間から遊技機内部に異物を差し入れるなどして行われる不正行為を抑制することができる。
【００５６】
また、かかる構成では、いわゆるパチンコ機に対して上記手段１乃至手段２０のいずれかの効果を享受することができる。
【００５７】
手段２２．手段１乃至手段２０のいずれかにおいて、遊技機前方から視認可能な位置に設けられ、複数種の絵柄が変動表示される複数の絵柄表示領域と、各絵柄表示領域における絵柄の変動表示を開始させるべく操作される始動操作手段と、該各絵柄表示領域における絵柄の変動表示を停止させるべく操作される複数の停止操作手段とを備え、
遊技メダルの受入完了状態で前記始動操作手段が操作された場合に各絵柄表示領域における絵柄の変動表示を開始させ、絵柄の変動表示の停止後に、各絵柄表示領域に表示されている絵柄により所定絵柄又は所定絵柄の組み合わせが成立していた場合には遊技者に特典が付与される構成としたことを特徴とする遊技機。
【００５８】
手段２３によれば、いわゆるスロットマシンに対して上記手段１乃至手段２０のいずれかの効果を享受することができる。
【００５９】
手段２３．手段１乃至手段２０のいずれかにおいて、遊技機前方から視認可能な位置に設けられ、複数種の絵柄が変動表示される複数の絵柄表示領域と、遊技機前面部にて遊技球を貯留する貯留部と、該貯留部に貯留された遊技球を取り込む取込装置と、該取込装置による遊技媒体の取り込みを開始させるべく操作される取込開始操作手段と、各絵柄表示領域における絵柄の変動表示を開始させるべく操作される始動操作手段と、該各絵柄表示領域における絵柄の変動表示を停止させるべく操作される複数の停止操作手段とを備え、
前記取込装置により所定数の遊技媒体が取り込まれ、さらに前記始動操作手段が操作された場合に、各絵柄表示領域における絵柄の変動表示を開始させ、絵柄の変動表示の停止後に各絵柄表示領域に表示されている絵柄により所定絵柄又は所定絵柄の組み合わせが成立していた場合には遊技者に特典が付与される構成としたことを特徴とする遊技機。
【００６０】
手段２３によれば、パチンコ機とスロットマシンとが融合した遊技機に対して上記手段１乃至手段２０のいずれかの効果を享受することができる。
【発明を実施するための最良の形態】
【００６１】
（第１の実施の形態）
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００６２】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００６３】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００６４】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パックユニット１５が回動可能に支持されており、正面視で左側を回動基端側とし右側を回動先端側として後方へ回動可能とされている。
【００６５】
次に、前扉枠１４について説明する。なお、以下の説明では、図１〜図３を参照するとともに、前扉枠１４の背面の構成については図５を参照する。図５は、前扉枠１４の背面構成を示す斜視図である。
【００６６】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００６７】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００６８】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００６９】
前扉枠１４の背面の下部には、図２及び図５に示すように、樹脂ケース５１が取り付けられている。樹脂ケース５１の背面（図５に見える面）は平坦状をなし、前扉枠１４を閉じた際に発射レール１１２の側壁を構成するようになっている。故に、発射レール１１２から遊技球が前方にこぼれ落ちることが防止される。樹脂ケース５１の回動基端側には、パチンコ機１０後方に向けて球通路樋５２が設置されている。
【００７０】
前扉枠１４の背面における回動基端側（図５の右側）には、その上端部及び下端部に突起軸６１，６２が設けられている。これら突起軸６１，６２は本体枠１３に対する組付機構を構成する。上下方向における突起軸６１，６２間には、前扉枠１４の端部に沿って上下方向に延びるようにして、長尺状の前扉側部材１７１が設けられている。
【００７１】
また、前扉枠１４の背面における回動先端側（図５の左側）には、図２に示すように、後方に延びる鉤金具６３が上下方向に複数並設されている。各鉤金具６３は全体として鉤形状に形成されており、鉤金具６３の先端に位置する係止部６３ａにより本体枠１３に係止可能となっている。これら鉤金具６３は本体枠１３に対する施錠機構を構成する。
【００７２】
次に、本体枠１３について詳細に説明する。図６は本体枠１３の正面構成を示す斜視図である。
【００７３】
本体枠１３は、外形が外枠１１とほぼ同一形状をなす樹脂ベース７１を主体に構成されている。樹脂ベース７１の周縁部には、前方に張り出すようにして張出部７８が設けられている。張出部７８は、本体枠１３に対して前扉枠１４が閉鎖状態にある場合に前扉枠１４の外周を包囲するように形成されている。この場合、張出部７８により、本体枠１３と前扉枠１４との間の領域が遊技機左右方向及び上下方向の外部に対して遮られている。したがって、仮に不正行為者が針金やフィルムなどの不正道具を本体枠１３と前扉枠１４との間から侵入させて不正行為を行おうとしても、それが困難なものとなっている。
【００７４】
樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００７５】
本体枠１３において、上下方向における支持金具７２，７３間には、本体枠１３の端部に沿って上下方向に延びるようにして長尺状の本体側部材１８１が設けられている。本体側部材１８１は、本体枠１３に対して前扉枠１４が閉鎖状態にある場合に、前扉枠１４の前扉側部材１７１と組み合わされるようになっている。前扉側部材１７１及び本体側部材１８１の詳細については後述する。
【００７６】
樹脂ベース７１の前面における回動先端側（図６の右側）には、前扉枠１４の背面に設けられた鉤金具６３を挿入するための挿入孔７４がそれぞれ設けられている。挿入孔７４は、本体枠１３に対して前扉枠１４を閉鎖させた際に鉤金具６３が挿入される位置に設けられており、鉤金具６３の挿入が可能な大きさとなっている。本パチンコ機１０では、本体枠１３や前扉枠１４を施錠状態とするための施錠装置１３１（図３，図８参照）が本体枠１３の背面側に隠れて配置される構成となっている。したがって、鉤金具６３が挿入孔７４を介して施錠装置１３１に係止されることによって、前扉枠１４が本体枠１３に対して開放不能に施錠される。
【００７７】
樹脂ベース７１の右下隅部には、施錠装置１３１の解錠操作を行うためのシリンダ錠７５が設置されている。シリンダ錠７５は施錠装置１３１に一体化されており、シリンダ錠７５の鍵穴に差し込んだキーを左に回すと本体枠１３に対する前扉枠１４の施錠が解かれるようになっている。なお、シリンダ錠７５の鍵穴に差し込んだキーを右に回すと外枠１１に対する本体枠１３の施錠が解かれるようになっている。
【００７８】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００７９】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【００８０】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００８１】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００８２】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００８３】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００８４】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００８５】
遊技盤８１の盤面は内レール部１０１及び外レール部１０２により内外領域に区画され、略円形状に区画された内側領域が遊技領域とされている。特に本実施の形態では、遊技盤８１の盤面上に区画される遊技領域が従来よりも大きく構成されている。
【００８６】
ここで、遊技領域を、パチンコ機１０の正面から見て内レール部１０１及び外レール部１０２によって囲まれる領域のうち、内外レール部１０１，１０２の対向部分である球案内通路の領域を除いた領域として説明する。つまり、遊技領域は球案内通路部分を含まないため、遊技領域の向かって左側限界位置は外レール部１０２によってではなく内レール部１０１によって特定される。また、遊技領域の向かって右側限界位置は内レール部１０１によって特定され、遊技領域の下側限界位置はアウト口８７が形成された遊技盤８１の下端位置によって特定され、遊技領域の上側限界位置は外レール部１０２によって特定される。
【００８７】
遊技領域は、遊技領域拡大という観点からは幅寸法及び高さ寸法が大きい程好ましい。なお、遊技領域の幅又は高さが一定値以上となると、遊技領域の一部が遊技盤８１の盤面を越えることも考えられるが、その越えた領域については他の部材を遊技盤面に沿って設けること等によって補えばよい。
【００８８】
遊技領域の拡張に関連して、可変表示ユニット８６の両側に位置するスルーゲート８５は、該ゲート８５を通過した遊技球が中央の方へ寄せられるような案内機構を有している。これにより、遊技領域が左右方向及び上下方向に拡張されている場合であっても、遊技球を中央の作動口８４や可変入賞装置８３の方へと案内することができ、ひいては、遊技領域が拡張されることにより遊技球が入賞しにくくなることによる興趣の低下が抑制されるようになっている。また、遊技領域が左右方向及び上下方向に拡張されていることによって、比較的大型の可変表示ユニット８６を遊技領域中央に設けても、可変表示ユニット８６の左右両側にスルーゲート８５、複数の釘（遊技球を中央に誘導するための三角釘等の誘導釘）、他の役物などを余裕をもってかつ多く配設することができ、可変表示ユニット８６の左右両側及び上下両側の遊技領域での遊技球の流れが単調とならず、遊技球の挙動を存分に楽しませることができる。
【００８９】
前述したように、遊技領域は、そのほぼ全域を前扉枠１４の窓部２１（ガラス２２）を通じて前方から視認することができるようになっている。したがって、窓部２１は、遊技領域の拡張に伴い拡張されることとなる。本パチンコ機１０では、遊技領域の拡張に伴い大きめのガラス２２が前扉枠１４に搭載されている。ここで、前扉枠１４のフレーム部分は、前扉枠１４自体の強度及びガラス支持強度を確保するのに十分な幅寸法となっているため、窓部２１を拡張するためのフレーム部分の縮小には制約が生じることとなる。
【００９０】
遊技領域に遊技球を発射する遊技球発射機構１１０は、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００９１】
遊技球発射機構１１０では、遊技者による遊技球発射ハンドル４１の操作に基づいてソレノイド１１１が通電され、ソレノイド１１１が通電されることにより遊技球が遊技領域に打ち出される。ここで、遊技球発射ハンドル４１と遊技球発射機構１１０とは電気的に接続されているが機械的には分離した構成となっている。したがって、遊技球発射ハンドル４１と遊技球発射機構１１０とを別々に設置することが可能となっている。本実施の形態では、遊技球発射機構１１０が本体枠１３に配設されており、遊技球発射ハンドル４１が前扉枠１４に配設されている。
【００９２】
前扉枠１４には、上皿３３、下皿３４及び遊技球発射ハンドル４１などが設けられており、前扉枠１４は、窓部２１の下方におけるフレーム幅が比較的大きくなっている。前扉枠１４において、ガラス２２の拡張に伴いガラス２２周囲のフレーム部分が幅狭になった場合、前扉枠１４の強度低下の問題が懸念されるが、前扉枠１４に遊技球発射ハンドル４１などが設けられることでフレーム幅が確保され、前扉枠１４自体の支持構造及びガラス支持構造の十分な強度が確保されている。
【００９３】
図６の説明に戻り、発射レール１１２と遊技盤８１に取り付けられた内，外レール部１０１，１０２との間には所定間隔の隙間があり、この隙間より下方にはファール球通路１２６が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路１２６を介して下皿３４に排出される。
【００９４】
本体枠１３の前面において発射レール１１２の左方には、左右一対の通路１１６，１１７（図８参照）が形成されるとともに、その前方に、通路１１６，１１７より排出された遊技球を上皿３３又は下皿３４の何れかに案内するための遊技球案内ユニット１２０が取り付けられている。便宜上以下の説明では、通路１１６を第１通路、通路１１７を第２通路ともいう。第１通路１１６及び第２通路１１７は、本体枠１３の背面に設けられた遊技球分配部２２５（図１２参照）に通じている。
【００９５】
遊技球案内ユニット１２０は、ポリカーボネート樹脂等の透明な樹脂材料により内部を視認可能に構成され、本体枠１３に対して前扉枠１４を閉鎖した状態で本体枠１３と前扉枠１４との間に収まるよう厚みが比較的薄くなるように形成されている。遊技球案内ユニット１２０には、前述したファール球通路１２６が一体的に形成されている。
【００９６】
遊技球案内ユニット１２０には、第１通路１１６と上皿３３とを連通するための連通口１２１と、第２通路１１７と下皿３４とを連通するための球排出通路１２２とが形成されている。さらに、遊技球案内ユニット１２０には、連通口１２１を閉鎖することが可能な開閉プレート１２３が取り付けられている。開閉プレート１２３は支軸１２４により回動可能に支持され、付勢手段としてのバネ１２５により連通口１２１を閉鎖する位置に常時付勢されている。なお、開閉プレート１２３により連通口１２１が閉鎖されている場合には、それに連動して球排出通路１２２も閉鎖されるようになっている。
【００９７】
遊技球案内ユニット１２０の上記構成によれば、前扉枠１４を開放した状態ではバネ１２５の付勢力により開閉プレート１２３が図示の如く起き上がることで連通口１２１が閉鎖され、それに連動して球排出通路１２２も閉鎖される。これにより、連通口１２１及び球排出通路１２２の上流側に遊技球が貯留されている状態で前扉枠１４を開放した場合に、その貯留球がこぼれ落ちてしまうといった不都合が防止できる。これに対し、前扉枠１４を閉鎖した状態では、前扉枠１４の裏面に設けられた球通路樋５２（図２参照）により、バネ１２５の付勢力に抗して開閉プレート１２３が押し開けられる。この状態では、第１通路１１６と上皿３３とが連通口１２１を介して連通し、それに連動して第２通路１１７と下皿３４とが球排出通路１２２を介して連通することとなる。
【００９８】
次に、本体枠１３の背面構成について説明する。図８は本体枠１３の背面図である。
【００９９】
樹脂ベース７１の背面における回動先端側（図８の左側）には、施錠装置１３１が設けられている。施錠装置１３１は縦長の取付板１３７を備えており、取付板１３７は本体枠１３の裏面側に縦方向に取り付けられている。取付板１３７の背面側には、樹脂ベース７１の挿入孔７４と対応する位置に扉枠施錠部材１３８が取り付けられている。扉枠施錠部材１３８には、鉤金具６３を挿入するための係止孔（図示略）が形成されている。扉枠施錠部材１３８は、上下方向への移動が可能となっており、バネなどの付勢部材により上方に付勢されている。付勢部材の付勢力に抗して扉枠施錠部材１３８が下方に移動した場合、樹脂ベース７１の挿入孔７４と扉枠施錠部材１３８の係止孔とがほぼ重なり、挿入孔７４を介して係止孔への鉤金具６３の挿入が可能となっている。
【０１００】
本体枠１３に対して前扉枠１４を閉鎖させた場合、前扉枠１４の閉鎖動作に伴い鉤金具６３が挿入孔７４及び扉枠施錠部材１３８に進入する。そして、扉枠施錠部材１３８は、鉤金具６３により下方へ押されることで付勢部材の付勢力に抗して下方に移動し、鉤金具６３の係止部６３ａ（図２参照）が扉枠施錠部材１３８を通過した後、前記付勢力により係止部６３ａの分だけ上方に戻る。この場合、鉤金具６３と扉枠施錠部材１３８とが係止状態となり、鉤金具６３の係止部６３ａが扉枠施錠部材１３８の背面側に引っ掛かることで前扉枠１４の遊技機前方への変位が規制されるため、本体枠１３に対する前扉枠１４の開放が規制される。
【０１０１】
また、施錠装置１３１には上下への摺動が可能な摺動杆１３９が設けられており、摺動杆１３９が下方に摺動するとそれに伴い扉枠施錠部材１３８が下方に移動する。さらに、施錠装置１３１にはシリンダ錠７５の錠軸にカム板１４０が固定されて設けられており、シリンダ錠７５のキー操作によってカム板１４０が図８における時計方向に回動されると、カム板１４０が摺動杆１３９に係合することで摺動杆１３９が下方に摺動する。この場合、扉枠施錠部材１３８が下方に移動するため、鉤金具６３の係止部６３ａが扉枠施錠部材１３８に引っ掛からなくなり、鉤金具６３と扉枠施錠部材１３８との係止状態が解除され、本体枠１３に対する前扉枠１４の施錠が解かれることとなる。
【０１０２】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【０１０３】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【０１０４】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【０１０５】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【０１０６】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０１０７】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０１０８】
入賞検知機構について説明すると、集合板ユニット１５０には、遊技盤８１表側の一般入賞口８２と対応する位置に入賞口スイッチ１５２が設けられ、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。なお、集合板ユニット１５０外における可変表示ユニット８６の左右両側には、スルーゲート８５を通過する遊技球を検知するゲートスイッチ１５５が設けられている。
【０１０９】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１１０】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１１１】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１１２】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１１３】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１１４】
次に、裏パックユニット１５について説明する。図１２は裏パックユニット１５の正面図、図１３は裏パックユニット１５の分解斜視図である。
【０１１５】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１１６】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１１７】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１１８】
遊技球分配部２２５は、払出装置２２４より払い出された遊技球を上皿３３、下皿３４又は後述する排出通路の何れかに振り分けるための機能を有し、内側の開口部２２６が第１通路１１６を介して上皿３３に通じ、中央の開口部２２７が第２通路１１７を介して下皿３４に通じ、外側の開口部２２８が排出通路に通じるように形成されている。
【０１１９】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１２０】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１２１】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１２２】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１２３】
電源及び発射制御装置２４３は、基板ボックス２４６内に電源及び発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１２４】
ここで、前扉側部材１７１及び本体側部材１８１について詳細に説明する。
【０１２５】
まず、前扉側部材１７１について説明する。図５に示すように、前扉側部材１７１は、前扉枠１４の背面に回動基端側（図５の右側）の端部に沿って上下方向へ延びるようにして設けられている。前扉側部材１７１は、前扉枠１４の上下方向の長さとほぼ同じかそれより若干短くなっている。前扉側部材１７１は、金属製の当接板部１７２、対向板部１７３及び連結板部１７４により全体として横断面コ字状に形成されている。換言すれば、前扉側部材１７１において、当接板部１７２と対向板部１７３との間には連結板部１７４を底面とした凹溝が形成されている。また、対向板部１７３には、切欠１７３ａが複数形成されている。
【０１２６】
前扉側部材１７１は、凹溝の開放側が前扉枠１４の回動基端側を向くようにして、前扉枠１４の背面に取り付けられている。前扉側部材１７１は、当接板部１７２の板面が前扉枠１４に当接した状態で、小ネジ等の締結部材により前扉枠１４に固定されている。したがって、連結板部１７４が、前扉枠１４から遊技機後方に向かって起立するとともに、対向板部１７３が連結板部１７４から回動基端側に向かって突出した状態となっている。また、前扉側部材１７１は、前扉枠１４の突起軸６１，６２よりも遊技機前方に位置している。
【０１２７】
次に、本体側部材１８１について説明する。図６に示すように、本体側部材１８１は、本体枠１３の前面に前扉側部材１７１と対応する側（図６の左側）の端部に沿って上下方向へ延びるようにして設けられている。本体側部材１８１は、本体枠１３の上下方向の長さとほぼ同じかそれより若干短くなっている。本体側部材１８１は金属製の板状部材により形成されている。本体側部材１８１には、貫通孔１８２が複数形成されている。
【０１２８】
本体側部材１８１は、その板面が遊技機前後方向を向くようにして、本体枠１３の前面に取り付けられている。本体枠１３の前面には、樹脂ベース７１に凸部１８５が上下方向に並ぶようにして複数設けられており、各凸部１８５にはネジ孔（図示略）が形成されている。本体側部材１８１は、板面が凸部１８５に当接した状態で、貫通孔１８２を介して前記ネジ孔に小ネジ等の締結部材がねじ込まれることで前扉枠１４に固定されている。各凸部１８５の間において、本体枠１３の樹脂ベース７１と本体側部材１８１との間には、前扉側部材１７１の対向板部１７３が入り込むのに十分な領域が確保されている。
【０１２９】
また、本体側部材１８１は、長手方向の一端部の全体が本体枠１３の回動基端側の張出部７８に当接した状態で固定されている。したがって、本体側部材１８１により、その本体側部材１８１の遊技機前方の領域と後方の領域とが張出部７８の内側にて遮蔽されている。さらに、本体側部材１８１は、本体枠１３の支持金具７２，７３の軸孔よりも遊技機前方に位置している。
【０１３０】
次いで、前扉枠１４の閉鎖動作に伴う前扉側部材１７１と本体側部材１８１との組み合わせ状態について、図１４及び図１５に基づいて説明する。図１４は、前扉側部材１７１及び本体側部材１８１周辺におけるパチンコ機１０の略図であり、（ａ）は本体枠１３に対して前扉枠１４を開放した状態、（ｂ）は本体枠１３に対して前扉枠１４を閉鎖した状態を示す。但し、図１４では説明の便宜上、前扉側部材１７１及び本体側部材１８１を除いてパチンコ機１０の略図を破線にて示している。図１５は、前扉側部材１７１及び本体側部材１８１周辺を上方から見た略図であり、（ａ）は本体枠１３に対して前扉枠１４を開放した状態、（ｂ）は本体枠１３に対して前扉枠１４を閉鎖した状態を示す。但し、図１５では説明の便宜上、前扉側部材１７１及び本体側部材１８１の厚み寸法、及び部材間の寸法を実際の寸法よりも大きく示している。
【０１３１】
本体枠１３に対して前扉枠１４が開放状態にある場合は、図１４（ａ）及び図１５（ａ）に示すように、前扉側部材１７１と本体側部材１８１とが組み合わされていない状態となっている。ここで、本体側部材１８１は、本体枠１３に対して前扉枠１４が回動された際の前扉側部材１７１の軌道上に設けられている。前扉側部材１７１は、凹溝の開放側が本体側部材１８１を受け入れる方向を向くように設けられ、当接板部１７２と対向板部１７３との間には本体側部材１８１が入り込むために十分な領域が確保されている。前扉枠１４において、回動軸としての突起軸６１，６２が前扉側部材１７１より遊技機前方に位置しているため、本体枠１３に対する前扉枠１４の閉鎖動作に伴って、前扉側部材１７１が図１５（ａ）における上方に移動しつつ左方に移動する。これにより、前扉側部材１７１の凹溝の開放側に本体側部材１８１が入り込むこととなる。
【０１３２】
本体枠１３に対して前扉枠１４が閉鎖状態にある場合、図１４（ｂ）及び図１５（ｂ）に示すように、本体枠１３と前扉枠１４との間の領域にて前扉側部材１７１と本体側部材１８１とが組み合わされた状態となる。この場合、本体側部材１８１は、当接板部１７２と対向板部１７３との間に前扉側部材１７１の凹溝の開放側（前扉枠１４の回動基端側）から入り込んでおり、前扉側部材１７１の対向板部１７３は、本体枠１３の樹脂ベース７１と本体側部材１８１との間に入り込んでいる。本体側部材１８１は、前扉側部材１７１の上下方向の全体に渡って入り込んでいる。また、本体側部材１８１は、その板面が当接板部１７２の板面と対向している。ここで、前扉側部材１７１は、本体側部材１８１と組み合わされても、対向板部１７３に設けられた切欠１７３ａにより本体枠１３の凸部１８５と干渉しないようになっている。
【０１３３】
また、本体枠１３に対して前扉枠１４が閉鎖状態にある場合、前扉側部材１７１及び本体側部材１８１は本体枠１３と前扉枠１４との間に位置している。この場合、前扉側部材１７１において、連結板部１７４は、前扉枠１４の背面側から本体枠１３に向かって突出しており、対向板部１７３は、連結板部１７４の先端から前扉枠１４の回動基端側に向かって突出している。さらに、それら対向板部１７３や連結板部１７４により形成されている前扉側部材１７１の凹溝内において、本体側部材１８１が凹溝の開放側から連結板部１７４側に向かって突出している。以上の結果、本体枠１３と前扉枠１４との間からの不正道具の侵入が阻止される。
【０１３４】
例えば、不正行為者が本体枠１３と前扉枠１４との間から不正道具を差し入れようとしても、張出部７８によりそれが規制されるようになっている。仮に、不正道具を遊技機前方（図１５（ｂ）の下方）から張出部７８の内側における本体枠１３と前扉枠１４との間の領域に差し入れることができたとしても、その領域は本体側部材１８１により遮蔽されているため、不正道具が本体側部材１８１に突き当たることとなる。そして、不正道具を曲げるなどして本体側部材１８１を回避し、前扉側部材１７１の当接板部１７２と本体側部材１８１との間の領域に不正道具を差し入れることができたとしても、その領域は前扉側部材１７１の連結板部１７４により遮蔽されているため、不正道具が連結板部１７４に突き当たることとなる。前扉側部材１７１と本体側部材１８１との間の領域は、他にも対向板部１７３、張出部７８、樹脂ベース７１などにより遮蔽されているため、不正道具を本体枠１３と前扉枠１４との間から差し入れることが非常に困難なものとなっている。
【０１３５】
また、例えば、前扉枠１４を遊技機前方に引っ張ることで本体枠１３と前扉枠１４との間の間隔を拡張させ、不正道具を差し入れ易くする不正が考えられるが、本実施の形態では、本体側部材１８１が前扉側部材１７１の開放側の全体に渡って遊技機左右方向（回動基端側）から入り込んでいるため、遊技機前方への前扉枠１４の変位がその前扉枠１４回動基端側の端部のほぼ全体に渡って規制される。仮に、前扉枠１４が遊技機前方に引っ張られても、前扉側部材１７１の対向板部１７３が本体側部材１８１に引っ掛かることとなる。したがって、前扉枠１４の浮き上がりが規制され、本体枠１３と前扉枠１４との間の間隔の拡張が抑制される。さらに、この場合、対向板部１７３と本体側部材１８１とがそれぞれの板面のほぼ全体にて当接することとなるため、前扉枠１４のどの部分が遊技機前方に引っ張られても、前扉枠１４の浮き上がりが規制される。したがって、本体枠１３と前扉枠１４との間の領域の局所的な拡張が抑制される。
【０１３６】
次に、パチンコ機１０の電気的構成について、図１４のブロック図に基づいて説明する。図１４では、電力の供給ラインを二重線矢印で示し、信号ラインを実線矢印で示す。
【０１３７】
主制御装置１６２に設けられた主制御基板３０１には、主制御回路３０２と停電監視回路３０３とが内蔵されている。主制御回路３０２には、ＣＰＵ３１１が搭載されている。ＣＰＵ３１１には、当該ＣＰＵ３１１により実行される各種の制御プログラムや固定値データを記憶したＲＯＭ３１２と、そのＲＯＭ３１２内に記憶される制御プログラムの実行に際して各種のデータ等を一時的に記憶するためのメモリであるＲＡＭ３１３と、割込回路やタイマ回路、データ入出力回路などの各種回路が内蔵されている。
【０１３８】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１３９】
ＣＰＵ３１１には、アドレスバス及びデータバスで構成されるバスラインを介して入出力ポートが接続されている。主制御回路３０２の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、主制御回路３０２には停電監視回路３０３を介して電力が供給される。
【０１４０】
一方、主制御回路３０２の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１４１】
停電監視回路３０３は、主制御回路３０２と電源及び発射制御基板３２１とを中継し、また電源及び発射制御基板３２１から出力される最大電源である直流安定２４ボルトの電源を監視する。
【０１４２】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１４３】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１４４】
払出制御基板３２２のＣＰＵ３３１には、アドレスバス及びデータバスで構成されるバスラインを介して入出力ポートが接続されている。払出制御基板３２２の入力側には、主制御回路３０２、電源及び発射制御基板３２１、及び裏パック基板２２９が接続されている。また、払出制御基板３２２の出力側には、主制御回路３０２及び裏パック基板２２９が接続されている。
【０１４５】
電源及び発射制御基板３２１は、電源部と発射制御部とを備えている。電源部は、二重線矢印で示す経路を通じて、主制御回路３０２や払出制御基板３２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１４６】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１４７】
音声ランプ制御基板３２４のＣＰＵ３４１にはアドレスバス及びデータバスで構成されるバスラインを介して入出力ポートが接続されている。音声ランプ制御基板３２４の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０１４８】
以上詳述した第１の実施の形態によれば、以下の優れた効果を奏する。
【０１４９】
本体側部材１８１を、本体枠１３の前面に上下方向に延びるようにして設けるとともに、前扉側部材１７１を、前扉枠１４の背面に上下方向に延びるようにして設けたため、前扉側部材１７１及び本体側部材１８１により、本体枠１３と前扉枠１４との間からの不正道具の侵入を広範囲に渡って規制することができる。
【０１５０】
また、前扉側部材１７１と本体側部材１８１とが組み合わされた場合、本体側部材１８１が前扉側部材１７１の凹部の上下方向のほぼ全体に前扉枠１４の回動基端側から入り込む構成としたため、本体枠１３と前扉枠１４との間の領域では、対向板部１７３、連結板部１７４、本体側部材１８１が複数の方向から突出した状態となっている。したがって、仮に本体枠１３と前扉枠１４との間から不正道具を差し入れようとしても、前扉側部材１７１及び本体側部材１８１を回避させたりそれら部材１７１，１８１の間を通過させたりすることが非常に困難なものとなっており、不正道具を差し入れることの困難性が高くなっている。
【０１５１】
さらに、前扉側部材１７１と本体側部材１８１とが組み合わされた場合、本体側部材１８１の板面が当接板部１７２の板面と対向しているため、それら板面が当接することで本体枠１３に対する前扉枠１４の遊技機前方への相対的な変位が広範囲に渡って規制される。したがって、仮に前扉枠１４が遊技機前方に引っ張られても、前扉枠１４の浮き上がりを広範囲に渡って規制することができる。また、前扉枠１４のどの部分が引っ張られても前扉枠１４の浮き上がりを規制し、前扉枠１４の局所的な浮き上がりも規制することができる。故に、不正道具を本体枠１３と前扉枠１４との間から差し入れることの困難性の低下を抑制することができる。
【０１５２】
例えば、不正行為として、不正道具を本体枠１３と前扉枠１４との間を通じて遊技領域まで差し入れ、不正道具により遊技球を誘導して一般入賞口８２や作動口８４に入賞させたり、不正道具により可変入賞装置８３を強制的に開放状態として遊技球が入賞しやすい状態としたりすることなどで、所定数の賞球を払い出させて利益を得るという不正が考えられる。ここで、本実施の形態では、前扉側部材１７１を前扉枠１４の回動基端側の端部に設けるとともに、本体側部材１８１を本体枠１３における前扉側部材１７１と組み合わせが可能な位置に設けた。このため、パチンコ機１０の左右方向からなど、一般入賞口８２、可変入賞装置８３及び作動口８４に比較的近い位置からの遊技領域への不正道具の侵入を阻止することができる。また、遊技領域への不正道具の侵入を阻止することで、遊技領域に設けられた開口部などからの遊技盤８１の背面側への不正道具の侵入を阻止することができる。
【０１５３】
以上の結果、本体枠１３と前扉枠１４との間を通じてパチンコ機１０内部に不正道具を差し入れるなどして行われる不正行為を抑制することができる。
【０１５４】
本体枠１３に対する前扉枠１４の閉鎖動作に伴って前扉側部材１７１の開放側に本体側部材１８１が入り込む構成としたため、単に前扉枠１４を本体枠１３に対して閉鎖状態とすることで、前扉側部材１７１と本体側部材１８１とを組み合わせることができる。したがって、本体枠１３に対して前扉枠１４が閉鎖状態にある場合は、常時、パチンコ機１０を不正行為が抑制される状態とすることができる。
【０１５５】
前扉側部材１７１を前扉枠１４の回動基端側に設けたため、例えば、前扉側部材１７１を前扉枠１４の回動先端側に設けた場合に比べて、前扉側部材１７１の開放側への本体側部材１８１の入り込み量を大きくすることが可能となる。これは、前扉側部材１７１及び本体側部材１８１を回動基端側に設けた場合、回動先端側に設けた場合に比べて曲率半径が小さくなり、遊技機前後方向への前扉側部材１７１の移動量が同じであれば、遊技機左右方向への前扉側部材１７１の移動量が大きくなるためである。これにより、仮に前扉枠１４に対して遊技機左右方向に外力が加えられても、前扉側部材１７１と本体側部材１８１との組み合わせ状態を解除させにくくすることができる。
【０１５６】
張出部７８を、本体枠１３の樹脂ベース７１の周縁部に前扉枠１４の外周を包囲するように設けたため、前扉枠１４と本体枠１３との間への不正道具の差し入れを行いにくくすることができる。また、本体枠１３に対する前扉枠１４の遊技機左右方向及び上下方向への相対的な変位を規制することができる。したがって、仮に前扉枠１４に対して遊技機左右方向に外力が加えられても、前扉側部材１７１と本体側部材１８１との組み合わせ状態を解除させにくくすることができる。
【０１５７】
本実施の形態では、遊技盤８１の盤面上に区画される遊技領域の拡大に際し、前扉枠１４に上皿３３、下皿３４及び遊技球発射ハンドル４１などを設けることで、前扉枠１４自体の支持構造及びガラス支持構造の十分な強度の確保を可能とした。ここで、本体枠１３に対して前扉枠１４をその上端部及び下端部にて支持したため、上皿３３，下皿３４，遊技球発射ハンドル４１などが設けられていない前扉枠と同じ支持間隔で前扉枠１４を支持した場合に比べて前扉枠１４の支持間隔が大きくなり、本体枠１３に対する前扉枠１４のがたつきの発生を抑制することができる。また、遊技領域の拡大に伴い大きめのガラス２２が前扉枠１４に搭載されているため、フレーム部分の幅が極力縮小されている。
【０１５８】
以上の結果、前扉枠１４の支持間隔の拡大とフレーム幅の縮小とが相まって、前扉枠１４が遊技機前方に引っ張られると前扉枠１４が容易に浮き上がったり前扉枠１４の浮き上がりが大きくなったりすると考えられるが、前扉側部材１７１及び本体側部材１８１を前扉枠１４及び本体枠１３に上下方向に延びるようにして設けたため、前扉枠１４において支持部間の全域に渡って浮き上がりを規制することができる。故に、遊技領域を拡大しつつ、本体枠１３と前扉枠１４との間を通じてパチンコ機１０内部に不正道具を差し入れるなどして行われる不正行為を抑制することができる。
【０１５９】
本体枠１３及び前扉枠１４の回動先端側に施錠装置１３１を設けたため、仮に前扉枠１４が遊技機前方に引っ張られても回動先端側における前扉枠１４の浮き上がりを規制することができる。したがって、前扉枠１４の回動基端側及び先端側の両端側の浮き上がりを抑制することができる。故に、不正道具を本体枠１３と前扉枠１４との間から差し入れることの困難性の低下をより確実に抑制できる。
【０１６０】
前扉側部材１７１及び本体側部材１８１を金属製の板部により形成したため、比較的安価な部材により本体枠１３と前扉枠１４との間からの不正道具の侵入を規制する規制機構を構成することができる。また、その規制機構を比較的簡易な構成とすることができる。さらに、前扉側部材１７１及び本体側部材１８１に十分な強度を持たせることができる。したがって、前扉枠１４が遊技機前方に引っ張られても、前扉枠１４の変形や浮き上がりを好適に抑制することができる。
【０１６１】
（第２の実施の形態）
本実施の形態では、前扉側部材１７１及び本体側部材１８１の構成が上記第１の実施の形態と異なっている。そこで、前扉側部材１７１及び本体側部材１８１の構成について詳細に説明する。以下の説明では、上記第１の実施の形態との相違点を説明し、同一の構成については基本的に説明を省略する。図１７はパチンコ機３５０の主要な構成を展開して示す斜視図、図１８は前扉枠３５４の背面構成を示す斜視図、図１９は本体枠３５３の前面構成を示す斜視図、図２０は前扉枠３５４の背面構成を示す分解斜視図、図２１は本体枠１３の背面構成を示す分解斜視図である。
【０１６２】
なお、便宜上、遊技領域内の構成などパチンコ機３５０の詳細な構成は省略している。また、パチンコ機３５０は上記第１の実施の形態と同様の鉤金具６３を備えており、鉤金具６３は、上記第１の実施の形態では前扉枠１４の回動先端側に上下方向に複数（３個）並設されていたが、本実施の形態では前扉枠３５４の回動先端側に上下一対で（上下方向に２個）設けられている。
【０１６３】
パチンコ機３５０は、当該パチンコ機３５０の外殻を形成する外枠３５１と、この外枠３５１に対して前方に回動可能に取り付けられた本体枠３５３と、その本体枠３５３の前方に配置される前扉枠３５４とを備えている。前扉枠３５４は、本体枠３５３により回動可能に支持されており、正面視で左側を回動基端側とし右側を回動先端側として前方へ回動可能とされている。
【０１６４】
前扉枠３５４は本体枠３５３の前面側全体を覆うようにして設けられている。前扉枠３５４には、図１８に示すように、その回動基端側（図１８の右側）の端部に沿って上下方向に延びる長尺状の前扉側部材３６１が取り付けられている。本体枠３５３には、図１９に示すように、その回動基端側（図１９の左側）の端部に沿って上下方向に延びる長尺状の本体側部材３８１が取り付けられている。前扉側部材３６１と本体側部材３８１とは、本体枠３５３に対して前扉枠３５４が閉鎖状態にある場合に組み合わされるようになっている。
【０１６５】
まず、前扉側部材３６１について説明する。前扉側部材３６１は、図２０に示すように、前扉枠３５４の上下方向の長さとほぼ同じかそれより若干短い金属製の板材を横断面略Ｌ字状に折り曲げて構成されており、この折り曲げによって取付板部３６３と遊技機前方に起立する前側起立部３６４とが形成されている。また、取付板部３６３を挟んで前側起立部３６４の反対側には、中央部のやや下寄りから上端部にかけて遊技機後方に起立する後側起立部３６５が形成されている。
【０１６６】
前扉側部材３６１は、取付板部３６３が前扉枠３５４の背面と当接し且つ前側起立部３６４が前扉枠３５４の側面と当接する状態で前扉枠３５４に取り付けられている。取付板部３６３には、その板面を貫通する孔部３６６が上下方向に分散（離間）して配置されており、前扉枠３５４には、その孔部３６６に対応する位置にネジ孔３７１が複数形成されている。前扉側部材３６１が前扉枠３５４に取り付けられた状態では孔部３６６とネジ孔３７１とが連通しており、ネジなどの固定部材が孔部３６６を介してネジ孔３７１にねじ込まれることで、前扉側部材３６１が前扉枠３５４に固定されている。この場合、固定部材による固定が複数箇所にて行われているため、前扉枠３５４からの遊技機後方及び側方への前扉側部材３６１の浮き上がりがほぼ全体に渡って規制されるとともに、部分的な浮き上がりも規制される。
【０１６７】
前扉側部材３６１には、取付板部３６３の板面を貫通する規制孔３６７が上下両端部寄りにそれぞれ形成されており、前扉枠３５４には、前扉枠３５４の背面から遊技機後方に突出する突出部３７２が規制孔３６７に対応する位置に形成されている。規制孔３６７は、突出部３７２の嵌合が可能な大きさ及び形状となっており、前扉側部材３６１が前扉枠３５４に取り付けられた状態では、前扉枠３５４の背面側から突出部３７２が規制孔３６７に嵌合されている。これにより、前扉枠３５４に対する前扉側部材３６１の左右及び上下方向への移動が規制されることとなる。
【０１６８】
また、前扉側部材３６１には、前側起立部３６４の板面を貫通する案内孔３６８が上下方向に分散（離間）して配置されており、前扉枠３５４には、前扉枠３５４の側面から回動基端側に（図２０の右方）に突出する案内突部３７３が案内孔３６８に対応する位置に形成されている。前扉側部材３６１が前扉枠３５４に取り付けられた状態では、前扉枠３５４の回動基端側から案内突部３７３が案内孔３６８に挿入されている。
【０１６９】
案内孔３６８は取付板部３６３に跨るようにして形成されている。案内孔３６８は、その上下方向の内幅が案内突部３７３の上下方向の外幅よりも僅かに大きくなっており、前扉枠３５４に対する前扉側部材３６１の上下方向への移動が規制されている。また、案内孔３６８は、その横方向の内幅が案内突部３７３の前後方向の外幅よりも突出部３７２の前後幅分だけ大きくなっている。これにより、前扉側部材３６１を前扉枠３５４に取り付ける際、案内突部３７３を案内孔３６８内の前部（図２０の奥側部）に位置合わせすることで、取付板部３６３が前扉枠３５４の突出部３７２に干渉しない状態で案内孔３６８に案内突部３７３を挿入させることができる。この場合、前扉枠３５４からの前扉側部材３６１のこれ以上の遊技機後方への移動が規制されることとなる。
【０１７０】
そして、案内孔３６８の前部に案内突部３７３を挿入させた状態で前扉側部材３６１を前方（図２０の奥側）に移動させると、突出部３７２を規制孔３６７に嵌合させることが可能となる。この場合、案内突部３７３が案内孔３６８に挿入されつつ突出部３７２が規制孔３６７に嵌合されるため、ネジなどの固定部材だけにより前扉側部材３６１が前扉枠３５４に取り付けられている構成と比して、前扉側部材３６１を前扉枠３５４から取り外すことがより一層困難なものとなっている。
【０１７１】
次に、本体側部材３８１について説明する。図２１に示すように、本体枠３５３の上下方向の長さとほぼ同じかそれより若干短い金属製の板材を横断面略コ字状に折り曲げて構成されており、この折り曲げによって当接板部３８３、対向板部３８４及び連結板部３８５が形成されている。換言すれば、前扉側部材３６１において、当接板部３８３と対向板部３８４との間には連結板部３８５を底面とした凹溝が形成されている。
【０１７２】
本体側部材３８１は、当接板部３８３の外側面が本体枠３５３の前面と当接する状態で本体枠３５３に取り付けられている。この状態では、本体側部材３８１の凹溝の開放側が本体枠３５３の回動先端側を向いている。すなわち、連結板部３８５が前扉枠３５４から遊技機前方に向かって起立するとともに、対向板部３８４が連結板部３８５から回動先端側に向かって突出した状態となっている。
【０１７３】
本体側部材３８１には、当接板部３８３の上下両端部に孔部３８７がそれぞれ形成されており、本体枠３５３には、その孔部３８７に対応する位置に本体側ネジ孔（図示略）が形成されている。本体側部材３８１が本体枠３５３に取り付けられた状態では孔部３８７と本体側ネジ孔とが連通しており、ネジなどの固定部材が孔部３８７を介して本体側ネジ孔にねじ込まれることで、本体側部材３８１が本体枠３５３に固定されている。
【０１７４】
本体側部材３８１には、各孔部３８７の間に本体側部材３８１を本体枠３５３に係止するための係止部３８８が上下方向に分散（離間）して配置されており、本体枠３５３には、その本体枠３５３を前後方向に貫通する係止孔３９２が係止部３８８に対応する位置に形成されている。本体側部材３８１が本体枠３５３に取り付けられた状態では係止部３８８が係止孔３９２に挿入されて係止されている。
【０１７５】
係止部３８８は、本体部３８８ａと係止爪部３８８ｂとにより全体として略Ｌ字状に形成されている。本体部３８８ａは遊技機後方に突出しており、係止爪部３８８ｂは本体部３８８ａから下方に突出している。係止部３８８は、当接板部３８３の一部が本体側部材３８１の外側に折り曲げられることで遊技機後方に突出して形成されており、本体枠３５３の係止孔３９２への挿入が可能な大きさとなっている。
【０１７６】
係止部３８８の左右方向の外幅は、本体枠３５３の係止孔３９２の左右方向の内幅より僅かに小さくなっており、係止部３８８を係止孔３９２に挿入することで、本体枠３５３に対する本体側部材３８１の左右方向への移動が規制されている。また、その係止部３８８の左右方向の外幅は、本体側部材３８１を構成する板材の外幅に相当しており、上下方向の外幅よりも小さくなっている。これにより、本体枠３５３の略中央に設けられた遊技領域の設置可能領域を十分に広く確保しつつ、遊技領域の側方位置にて係止部３８８を本体枠３５３に係止させることが可能となっている。
【０１７７】
係止部３８８の上下方向の外幅は、本体枠３５３の係止孔３９２の上下方向の内幅より小さくなっている。そして、係止爪部３８８ｂが下方に突出している部分の上下方向の外幅は、係止爪部３８８ｂが位置しない部分（本体部３８８ａだけ）の上下方向の外幅より大きくなっている。これにより、本体側部材３８１を本体枠３５３に取り付ける際、係止部３８８を係止孔３９２に挿入し、その状態で係止部３８８を下方に移動させることで、係止爪部３８８ｂを係止孔３９２に係止させることが可能となる。本体側部材３８１が本体枠３５３に係止されている場合、係止爪部３８８ｂが本体枠３５３の背面に引っ掛かることで本体側部材３８１の遊技機前方への浮き上がりが規制されることとなる。
【０１７８】
また、上記したように、本体枠３５３に対する本体側部材３８１の係止部分が上下方向に分散しているため、本体側部材３８１を固定部材により固定する箇所が上下両端部だけでも、本体側部材３８１が本体枠３５３に強固に固定されており、本体側部材３８１を本体枠３５３から取り外すことがより一層困難なものとなっている。すなわち、本体枠３５３への本体側部材３８１の取り付け作業を容易なものとしつつ、本体側部材３８１の遊技機前方への浮き上がりがほぼ全体に渡って規制され、さらには部分的な浮き上がりも規制される構成を実現している。
【０１７９】
次いで、前扉枠３５４の閉鎖動作に伴う前扉側部材３６１と本体側部材３８１との組み合わせ状態について、図２２に基づいて説明する。図２２は、前扉側部材３６１及び本体側部材３８１周辺を上方から見た略図であり、（ａ）は本体枠３５３に対して前扉枠３５４を開放した状態、（ｂ）は本体枠３５３に対して前扉枠３５４を閉鎖した状態を示す。但し、図２２では説明の便宜上、前扉側部材３６１及び本体側部材３８１の厚み寸法、及び部材間の寸法を実際の寸法よりも大きく示している。
【０１８０】
本体枠３５３に対して前扉枠３５４が開放状態にある場合は、図２２（ａ）に示すように、前扉側部材３６１と本体側部材３８１とが組み合わされていない状態となっている。ここで、本体側部材３８１は、本体枠３５３に対して前扉枠３５４が回動された際の前扉側部材３６１の軌道上に設けられている。本体側部材３８１は、凹溝の開放側が前扉側部材３６１を受け入れる方向を向くように設けられ、当接板部３８３と対向板部３８４との間には前扉側部材３６１の取付板部３６３及び前側起立部３６４が入り込むために十分な領域が確保されている。前扉枠３５４は、前扉側部材３６１より遊技機前方にて本体枠３５３に回動可能に支持されており、本体枠３５３に対する前扉枠３５４の閉鎖動作に伴って、前扉側部材３６１が図２２（ａ）における上方に移動しつつ左方に移動する。これにより、本体側部材３８１の凹溝の開放側に前扉側部材３６１がその前側起立部３６４側から入り込むこととなる。
【０１８１】
本体枠３５３に対して前扉枠３５４が閉鎖状態にある場合、図２２（ｂ）に示すように、前扉側部材３６１と本体側部材３８１とが本体枠３５３と前扉枠３５４との端部にて組み合わされた状態となる。この場合、前扉側部材３６１の取付板部３６３及び前側起立部３６４は、当接板部３８３と対向板部３８４との間に本体側部材３８１の凹溝の開放側（前扉枠３５４の回動基端側に対応する側）から入り込んでおり、その入り込み部分は本体側部材３８１の上下方向のほぼ全体に渡っている。また、前扉側部材３６１の前側起立部３６４は、本体側部材３８１の内側にて対向板部３８４と接近している。
【０１８２】
また、本体枠３５３に対して前扉枠３５４が閉鎖状態にある場合、本体側部材３８１において、連結板部３８５は本体枠３５３から前扉枠３５４側に向かって突出しており、対向板部３８４は連結板部３８５の先端から前扉枠３５４の回動基端側の側面に向かって突出している。さらに、本体側部材３８１の凹溝内において、連結板部３８５には前扉側部材３６１の取付板部３６３及び前側起立部３６４が接近しており、対向板部３８４には前側起立部３６４が接近している。前扉側部材３６１の後側起立部３６５は、本体枠３５３と前扉枠３５４との間にて本体枠３５３に向かって突出している。以上の結果、本体枠３５３と前扉枠３５４との間からの不正道具の侵入が阻止される。
【０１８３】
例えば、不正行為者が本体枠３５３と前扉枠３５４との間から不正道具を差し入れようとした場合、仮に、遊技機前方（図２２（ｂ）の下方）から前扉側部材３６１と本体側部材３８１との間、すなわち前側起立部３６４と対向板部３８４との間の領域に不正道具を差し入れることができたとしても、その領域は本体側部材３８１の連結板部３８５により遮蔽されているため、不正道具が連結板部３８５に突き当たることとなる。そして、不正道具を曲げるなどして連結板部３８５を回避し、前側起立部３６４と連結板部３８５との間の領域に不正道具を差し入れることができたとしても、その領域は本体側部材３８１の当接板部３８３により遮蔽されているため、不正道具が当接板部３８３に突き当たることとなる。さらに、本体枠３５３と前扉枠３５４との間の領域は、他にも後側起立部３６５や本体枠３５３などにより遮蔽されているため、不正道具を本体枠３５３と前扉枠３５４との間から差し入れることが非常に困難なものとなっている。
【０１８４】
また、前扉枠３５４を遊技機前方に引っ張ることで本体枠３５３と前扉枠３５４との間の間隔を拡張させ、不正道具を差し入れ易くする不正が考えられるが、前扉側部材３６１が本体側部材３８１の開放側の全体に渡って遊技機左右方向（回動先端側）から入り込んでいるため、本実施の形態でも上記第１の実施の形態と同様に、遊技機前方への前扉枠３５４の変位が回動基端側の端部のほぼ全体に渡って規制される。仮に、前扉枠３５４が遊技機前方に引っ張られても、前扉側部材３６１の前側起立部３６４が本体側部材３８１の対向板部３８４に引っ掛かることとなる。したがって、前扉枠３５４の浮き上がりが規制され、本体枠３５３と前扉枠３５４との間の間隔の拡張が抑制される。さらに、この場合、前扉側部材３６１の前側起立部３６４が本体側部材３８１の対向板部３８４の板面のほぼ全体に当接することとなるため、前扉枠３５４のどの部分が遊技機前方に引っ張られても、前扉枠３５４の浮き上がりが規制される。したがって、本体枠３５３と前扉枠３５４との間の領域の局所的な拡張が抑制される。
【０１８５】
以上詳述した第２の実施の形態によれば、以下の優れた効果を奏する。
【０１８６】
前扉側部材３６１を、前扉枠３５４の回動基端側の端部に上下方向に延びるようにして設けるとともに、本体側部材３８１を、本体枠３５３における前扉側部材３６１と対応する位置に上下方向に延びるようにして設けたため、本体枠３５３と前扉枠３５４との間からの不正道具の侵入を広範囲に渡って規制することができる。
【０１８７】
また、前扉側部材３６１と本体側部材３８１とが組み合わされた場合、前扉側部材３６１が本体側部材３８１の上下方向のほぼ全体に渡って凹溝の開放側から入り込む構成としたため、本体枠３５３及び前扉枠３５４の回動基端側の端部では、本体枠３５３と前扉枠３５４との間に通じる領域において、対向板部３８４、前側起立部３６４、後側起立部３６５などが複数の方向から突出した状態となっている。したがって、仮に本体枠３５３と前扉枠３５４との間から不正道具を差し入れようとしても、前扉側部材３６１及び本体側部材３８１を回避させたりそれら部材３６１，３８１の間を通過させたりすることが非常に困難なものとなっており、不正道具を差し入れることの困難性が高くなっている。
【０１８８】
さらに、前扉側部材３６１と本体側部材３８１とが組み合わされた場合、前側起立部３６４が対向板部３８４の背面側に接近しており、それら前側起立部３６４と対向板部３８４とが当接することで本体枠３５３に対する前扉枠３５４の遊技機前方への相対的な変位が広範囲に渡って規制される。したがって、仮に前扉枠３５４が遊技機前方に引っ張られても、前扉枠３５４の浮き上がりを広範囲に渡って規制することができる。また、前扉枠３５４のどの部分が引っ張られても前扉枠３５４の浮き上がりを規制し、前扉枠３５４の局所的な浮き上がりも規制することができる。故に、不正道具を本体枠３５３と前扉枠３５４との間から差し入れることの困難性の低下を抑制することができる。
【０１８９】
以上の結果、上記第１の実施の形態と同様に、本体枠３５３と前扉枠３５４との間を通じてパチンコ機３５０内部に不正道具を差し入れるなどして行われる不正行為を抑制することができる。故に、前扉側部材３６１及び本体側部材３８１の構成を上記第１の実施の形態と異なる構成としても、第１の実施の形態と同様の効果を得ることが可能となる。
【０１９０】
なお、上述した実施の形態の記載内容に限定されず、例えば次のように実施してもよい。
【０１９１】
（ａ）上記第１の実施の形態では、前扉側部材１７１を横断面コ字状の部材とし、本体側部材１８１を板状の部材としたが、前扉側部材１７１を板状の部材とし、本体側部材１８１を横断面コ字状の部材としてもよい。要は、前扉側部材１７１と本体側部材１８１とが組み合わされることで、本体枠１３と前扉枠１４との間からの不正道具の侵入を規制するとともに、本体枠１３に対する前扉枠１４の遊技機前方への相対的な変位を規制する構成であればよい。
【０１９２】
（ｂ）上記各実施の形態では、前扉側部材１７１，３６１を長尺状とすることで、前扉側部材１７１，３６１を前扉枠１４，３５４に上下方向に延びるように設けたが、前扉側部材１７１，３６１を複数連ねることで、前扉側部材１７１，３６１を前扉枠１４に上下方向に延びるように設けてもよい。ここで、本体側部材１８１，３８１は、本体枠１３，３５３において前扉側部材１７１，３６１と対応するように設ける。この場合、本体枠１３，３５３と前扉枠１４，３５４との間の領域からの不正道具の侵入を広範囲に渡って断続的に規制することができる。但し、各前扉側部材１７１，３６１間に隙間が生じると、その隙間からの不正道具の侵入が容易なものとなるおそれがあるため、各前扉側部材１７１，３６１間に発生する隙間が小さくなるように構成するとよい。
【０１９３】
（ｃ）上記各実施の形態では、前扉側部材１７１，３６１及び本体側部材１８１，３８１の長さを前扉枠１４，３５４及び本体枠１３の上下方向の長さと同じかそれより若干短くしたが、それらの長さをさらに短くしてもよい。但し、この場合、本体枠１３，３５３と前扉枠１４，３５４との間の領域において、前扉側部材１７１，３６１及び本体側部材１８１，３８１により不正道具の侵入が規制される範囲が狭くなったり、前扉側部材１７１，３６１と本体側部材１８１，３８１とが組み合わされる範囲が狭くなったりするため、不正道具の侵入に対する困難性が低下するおそれがあるが、上記（ｂ）の構成を適用することで、前扉枠１４，３５４及び本体枠１３，３５３の長さを短くした場合でも、不正道具の侵入に対する困難性の低下を抑制することができる。
【０１９４】
（ｄ）上記第１の実施の形態では、前扉側部材１７１の対向板部１７３と本体側部材１８１とをそれぞれの板面のほぼ全体にて当接可能な構成としたが、対向板部１７３と本体側部材１８１とがそれぞれ一部分にて当接する構成としてもよい。但し、この場合、例えば対向板部１７３と本体側部材１８１とが当接していない範囲にて前扉枠１４が遊技機前方に引っ張られると、前扉枠１４が遊技機前方に局所的に浮き上がるおそれがある。したがって、前扉側部材１７１の対向板部１７３と本体側部材１８１とがそれぞれの板面のほぼ全体にて当接可能な構成とすることが望ましい。
【０１９５】
（ｅ）上記各実施の形態では、前扉側部材１７１，３６１を、前扉枠１４，３５４の回動基端側の端部に沿って上下方向に延びるように設けたが、前扉枠１４，３５４の上端部又は下端部に沿って左右方向に延びるように設けてもよい。ここで、本体側部材１８１，３８１は、本体枠１３における前扉側部材１７１，３６１と対応する位置に設ける。この場合、パチンコ機１０，３５０の上下方向における本体枠１３，３５３と前扉枠１４，３５４との間の領域からの不正道具の侵入を規制することができるが、前扉枠１４，３５４の閉鎖動作に伴って前扉側部材１７１，３６１と本体側部材１８１，３８１とが組み合わされる構成が複雑なものとなるおそれがある。これは、前扉枠１４，３５４（前扉側部材１７１，３６１）の移動方向が前後方向及び左右方向であるのに対して、前扉側部材１７１又は本体側部材３８１の凹溝の開放側が上下方向となるためである。
【０１９６】
（ｆ）上記各実施の形態では、前扉側部材１７１，３６１を前扉枠１４，３５４の回動基端側に設けたが、前扉枠１４，３５４の回動先端側に設けてもよい。ここで、本体側部材１８１，３８１は、本体枠１３，３５３における前扉側部材１７１，３６１と対応する位置に設ける。この場合、パチンコ機１０，３５０の左右方向における本体枠１３，３５３と前扉枠１４，３５４との間の領域からの不正道具の侵入を規制することができる。但し、前扉枠１４，３５４において、回動先端側の曲率半径は回動基端側の曲率半径に比べて大きくなる。したがって、前扉側部材１７１，３６１の遊技機前後方向への移動量に対する遊技機左右方向への移動量の割合が小さくなり、前扉側部材１７１の開放側への本体側部材１８１の入り込み量又は本体側部材３８１の開放側への前扉側部材３６１の入り込み量が小さくなる可能性がある。入り込み量が小さくなると、前扉側部材１７１と本体側部材１８１との組み合わせが解除されるおそれがある。そこで、前扉側部材１７１，３６１及び本体側部材１８１，３８１を回動先端側に設けた場合、本体側部材１８１又は前扉側部材３６１の入り込み量を十分に確保する構成とすることが望ましい。
【０１９７】
（ｇ）上記第１の実施の形態では、本体枠１３と前扉枠１４との間に前扉側部材１７１及び本体側部材１８１が位置する構成としたが、本体枠１３と前扉枠１４との間よりも外側に前扉側部材１７１及び本体側部材１８１が位置する構成としてもよい。要は、前扉側部材１７１及び本体側部材１８１により、本体枠１３と前扉枠１４との間からの不正道具の侵入が規制されるとともに、本体枠１３に対する前扉枠１４の遊技機前方への相対的な変位が規制される構成であればよい。但し、本体枠１３と前扉枠１４との間に前扉側部材１７１及び本体側部材１８１が位置する構成とした方が、不正行為者は、本体枠１３と前扉枠１４との間という狭小な領域で不正道具を操作しなければならなくなるため、不正道具を本体枠１３と前扉枠１４との間から差し入れることの困難性を高めることができる。
【０１９８】
（ｈ）上記第１の実施の形態では、前扉枠１４の対向板部１７３に切欠１７３ａを設けたが、切欠１７３ａを設けなくてもよい。この場合、対向板部１７３の全体により本体枠１３と前扉枠１４との間の領域を遮ることができる。したがって、より確実に不正道具の侵入を阻止することができる。但し、本体枠１３の凸部１８５を、前扉枠１４の対向板部１７３に干渉しないように設ける必要がある。
【０１９９】
（ｉ）上記第１の実施の形態では、張出部７８を、本体枠１３に前扉枠１４の外周を包囲するようにして設けたが、前扉枠１４に本体枠１３の外周を包囲するようにして設けてもよい。また、張出部７８を設けなくてもよい。但し、張出部７８を設けない場合は、遊技領域に不正道具を差し入れることの困難性が低下したり、前扉枠１４に左右方向への外力が加えられることで前扉側部材１７１と本体側部材１８１との組み合わせが解除されたりするおそれがある。この場合、前扉側部材１７１及び本体側部材１８１を、遊技機前後方向のみならず、遊技機左右方向又は上下方向への相対的な変位を規制する構成とするとよい。
【０２００】
（ｊ）上記各実施の形態では、本体枠１３，３５３に対して前扉枠１４，３５４が回動基端側の上端部及び下端部にて支持される構成としたが、本体枠１３，３５３に対して前扉枠１４，３５４が回動可能となる構成であればよい。例えば、本体枠１３，３５３に対して前扉枠１４，３５４が上端部及び下端部よりも中央寄りにて支持される構成とする。この場合、前扉枠１４，３５４の支持間隔が短くなるため、仮に前扉枠１４，３５４が遊技機前方に引っ張られても前扉枠１４，３５４がより浮き上がりにくくなるが、前扉枠１４，３５４ががたつくおそれがある。したがって、上記実施の形態のように、前扉側部材１７１，３６１及び本体側部材１８１，３８１を前扉枠１４，３５４及び本体枠１３，３５３に設けた構成であれば、前扉枠１４，３５４の支持間隔を長くしても、不正道具の侵入を抑制しつつ前扉枠１４，３５４のがたつきを抑制することができる。
【０２０１】
（ｋ）遊技機本体の前面側に開閉可能に取り付けられた前面扉を有する遊技機であれば、上記実施の形態とは異なる他のタイプの遊技機、例えば他の役物を備えたパチンコ機、アレンジボール機、雀球等の遊技機、スロットマシン等の回胴式遊技機や、メダルに代えて遊技球（パチンコ球）を使用する球使用タイプの回胴式遊技機にも適用できる。
【０２０２】
球使用タイプの回胴式遊技機では、外周に複数の図柄が付されたリール装置（回胴装置）、遊技者により操作されるベットスイッチやスタートレバー等の装置類、遊技球の取込を許可又は禁止すると共に順次取り込まれる遊技球をカウントするための取込装置などが設けられる。この場合、球受皿に貯留された遊技球は、整列通路部及び取込口を介して取込装置に導かれる。そして、遊技者によるベットスイッチの操作に伴い取込装置で遊技球の取込が行われ、その取り込まれた遊技球数に応じて毎回の遊技の開始（スタートレバー操作に伴うリール回転）が許容される。
【図面の簡単な説明】
【０２０３】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の背面構成を示す斜視図である。
【図６】本体枠の前面構成を示す斜視図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】前扉側部材及び本体側部材の周辺におけるパチンコ機の略図である。
【図１５】前扉側部材及び本体側部材の周辺を上方から見た略図である。
【図１６】パチンコ機の電気的構成を示すブロック図である。
【図１７】別のパチンコ機の主要な構成を展開して示す斜視図である。
【図１８】別の前扉枠の背面構成を示す斜視図である。
【図１９】別の本体枠の前面構成を示す斜視図である。
【図２０】別の前扉枠の背面構成を示す分解斜視図である。
【図２１】別の本体枠の前面構成を示す分解斜視図である。
【図２２】別の前扉側部材及び本体側部材の周辺を上方から見た略図である。
【符号の説明】
【０２０４】
１０…遊技機としてのパチンコ機、１３…遊技機本体としての本体枠、１４…前面扉としての前扉枠、６１，６２…突起軸、７２，７３…支持金具、８１…遊技領域としての遊技盤、８２…入球部を構成する一般入賞口、８３…入球部を構成する可変入賞装置、８４…入球部を構成する作動口、１７１…第１部材としての前扉側部材、１７３…対向部としての対向板部、１７４…連結部としての連結板部、１８１…第２部材としての本体側部材、３５０…パチンコ機、３５３…本体枠、３５４…前扉枠、３６１…前扉側部材、３６４…前側起立部、３８１…本体側部材、３８４…対向板部、３８５…連結板部。
【図１】
2008136836.tif 000003
【図２】
2008136836.tif 000004
【図３】
2008136836.tif 000005
【図４】
2008136836.tif 000006
【図５】
2008136836.tif 000007
【図６】
2008136836.tif 000008
【図７】
2008136836.tif 000009
【図８】
2008136836.tif 000010
【図９】
2008136836.tif 000011
【図１０】
2008136836.tif 000012
【図１１】
2008136836.tif 000013
【図１２】
2008136836.tif 000014
【図１３】
2008136836.tif 000015
【図１４】
2008136836.tif 000016
【図１５】
2008136836.tif 000017
【図１６】
2008136836.tif 000018
【図１７】
2008136836.tif 000019
【図１８】
2008136836.tif 000020
【図１９】
2008136836.tif 000021
【図２０】
2008136836.tif 000022
【図２１】
2008136836.tif 000023
【図２２】
2008136836.tif 000024